(57)【要約】【課題】展示用ブロックを構成する１ユニットが、ユニットとして積み重ねられたときに、形状を保持できる安定性と強度を有しており、又出来上がりの形状は展示用として利用できる要素が盛り込まれている新規な展示用ブロックを構成１ユニットの提供。【解決手段】四角形状の二面一組を、三組組合せて六面体を構成し、その六面体の一組の相対する二面が六面体内部に向かって凹状であり、その二面の中間において一面の四角形と相似の連絡部を有し、もう一組の相対する二面も六面体内部に向かって凹状であり、その二面の中間において六面体と相似の空間部からなる、抜けている状態の連絡部により連絡しているユニット及びその組合せ構造体。【選択図】図２
2007284100.tif 000002
【特許請求の範囲】
【請求項１】
相対する四角形状の二面一組を、三組組合せて六面体を構成し、その六面体の一組の相対する二面が六面体内部に向かって凹状であり、その二面の中間において二面の四角形状と相似の連絡部を有し、もう一組の相対する二面も六面体内部に向かって凹状であり、その二面の中間において六面体と相似の空間部からなる、抜けている状態の連絡部により連絡していることを特徴とする構造体。
【請求項２】
前記相対する四角形状が正方形であることを特徴とする請求項１記載の構造体。
【請求項３】
前記相対する四角形状が長方形であることを特徴とする請求項１記載の構造体。
【請求項４】
前記相対する四角形状が台形であることを特徴とする請求項１記載の構造体。
【請求項５】
前記構造体がプラスチック製であることを特徴とする請求項１〜４のいずれか１項に記載の構造体。
【請求項６】
前記構造体がダンボールにより組み立てられていることを特徴とする請求項１〜４のいずれか１項に記載の構造体。
【請求項７】
前記請求項１から６のいずれか１項に記載の構造体をつなぎ合わされて組立てられていることを特徴とする組合せ構造体。
【請求項８】
前記組合せ構造体が柱状であることを特徴とする請求項７記載の組合せ構造体。
【請求項９】
組合せ構造体が板状であることを特徴とする請求項７記載の組合せ構造体。
【請求項１０】
組合せ構造体がアーチ状であることを特徴とする請求項７記載の組合せ構造体。
【発明の詳細な説明】
【技術分野】
【０００１】
本発明は、展示用建築物用構造体及びその組合せ構造体に関するものである。
【背景技術】
【０００２】
展示を目的とする構造体を形成するための１ユニットとして箱体を用い、これを積み重ね、入場部分や通路や装飾部分を形成するなどして利用することが古くから行われてきた。用いる材料も板材から必要な形状物を作成したり、展示用のブロックを形成し、これをつなぎ合わせたり、ダンボールなどにより組立体を形成する事が行われてきた。又、倉庫などでは商品を充填した状態の箱をそのまま使用して案内路を形成することは多い。案内路を形成する場合には箱体は便利なものであるということができる。
箱は展示手段としても利用することができることから、箱と展示台をかねるようにすることも行われている（特許文献１、特許文献２）。
包装輸送用箱は、側壁及び端壁の上下縁に側フラップ及び端フラップをそれぞれ備えた包装箱において、側壁に縦折線を、側フラップに切離線を連続して設け、側フラップを切離線沿いに切断し、側壁を縦折線沿いに屈曲させて多角形の周壁をなし、支持材及び底パッドを内挿して保形することにより、底パッド上に商品を盛り上げて展示できるようにするなどして包装輸送のみならず、展示手段として積極的に使用されている（特許文献３）。又、被せ蓋は、冠装した状態での意匠を施されるのが常態であるため、裏返して身函に被せて展示した際に、側壁部分に現れる文字を含む意匠が逆転倒立してしまい見苦しいものになってしまうという欠点を考慮して工夫がなされている（特許文献４）。
【０００３】
しかしながら、展示を目的とする構造体を構成する１ユニットは、当初用いられてきた箱の状態のまま、それをユニットとして使用しており、使い勝手がよいかというかということについては殆ど検討されていない状態であるといってよく、立ち遅れたままとなっていた。
【０００４】
本発明者らは係る状況にかんがみ、展示を目的とする構造体の１ユニットはどのような形状のものが要求されるかということを検討してみた。その結果、このユニットはユニット自体が積み重ねられたときに、形状を保持できる安定性と強度を有していること、積み重ねられたときに展示する展示品の重さ（重量）に耐えることができること、形状は展示用や表示用として利用できること、完成された構造体は展示用や表示用として利用できることが必要であるという結論を得た。これらの必要性を満たす、１ユニット及び構造体を得ることを目指して研究を行うこととした。
【特許文献１】特開２００２−４５２８１号公報
【特許文献２】特開２００３−２００９２３号公報
【特許文献３】特開２００２−３７２４５号公報
【特許文献４】特開２００５−３３５７９６号公報
【発明の開示】
【発明が解決しようとする課題】
【０００５】
本発明の課題は、展示用ブロックを構成する１ユニットが、従来この種のブロックの１ユニットとして用いられてきた箱体と比較して、ユニットとして積み重ねられたときに、形状を保持できる安定性と強度を有していること、又、積み重ねられたときに展示する展示品の重さ（重量）に耐えることができること、形状は展示用や表示用として多種類の利用ができること、完成された構造体は展示用や表示用として利用できる、新規な展示用ブロックを構成する１ユニット及びユニットを組み合わせた構造体を提供することである。
【課題を解決するための手段】
【０００６】
本発明者らは、鋭意前記課題について検討し以下のことを見出して本発明を完成させた。
相対する四角形状の二面一組を、三組組合せて六面体を構成することができる。この構造体として箱が知られている。この構造体の天の部分と地の部分（蓋と底）は側壁の４面を拘束し、これがばらばらにならないようにしている。又、側壁は天の部分と地の部分を支えて、箱を形成しているということができる（図１）。これは前記したように中に物がつまった場合の場合には、積み重ねても強度を保つことができるが、物が詰まった状態であるため大きな重量となる使い勝手もよくない。これに対して前記発明が解決しようとする課題を解決すべく、事象を観察・分析し、その結果を総合することにより、以下に述べることを見出し、前記課題を解決することができた。
【０００７】
（１）相対する四角形状の二面一組を、三組組合せて六面体を構成し、その六面体の一組の相対する二面が六面体内部に向かって凹状であり、その二面の中間において一面の四角形状と相似の連絡部を有し、もう一組の相対する２面も六面体内部に向かって凹状であり、その二面の中間において六面体と相似の空間部からなる、抜けている状態の連絡部により連絡している。この特徴は、その二面の中間において六面体と相似の空間部からなる、抜けている状態の連絡部が形成される。これは外形の形状である六面体と相似形となる。一つの面が、台形、長方形、正方形にかかわらず、全ての立体の前記抜けている状態の連絡部は外形の形状である六面体と相似形となる。
図２の場合は、相対する四角形状の二面が長方形であり、三組組合せて六面体を構成し、全体として直方体の場合を示している。一組の相対する２面も六面体内部に向かって凹状であり、その二面の中間において六面体と相似の空間部からなる、抜けている状態の連絡部により連絡しているのは、ａ方向から見ている場合にあり、（ａ）の面のＺが抜けている状態を表している。ｂ方向から見ている（ｂ）面では、内部に向かって凹状となるが、Ｙは抜けていない状態を表している。
この形状にすると天の部分と地の部分からの圧迫に対して強い状態となり、側壁部分は、積み重ね強度に耐えるように対応する。また、形状はフラットの面、単に凹んだ状態だけの面及び吹き抜けに抜けている状態の面を有しており、展示又は表示手段としており、必要に応じて面を選択して種々な展示又は表示が可能となる。又形状が入り組んでいるので、全体として軽量化をはかることもできる。
【０００８】
（２）これを横倒しにして、側面に前記相似形である長方形による凹みを形成する状態とすることができる。この状態の場合でも上と下からの圧迫に耐えうる強い状態とすることができ、側壁部分は積み重ね強度に耐えるように対応する（図３）。  
【０００９】
（３）相対する四角形状の二面一組について、四角形状が長方形や正方形であることを前提にして検討してきたが、この面の部分は台形することもできる（図４）。
【００１０】
（４）前記（１）及び（２）の構造体を組合せることにより柱状体、板状体を形成することができる（図５、図６）。
【００１１】
（５）前記（３）の構造体を組合せると、凹凸のある柱状体、起伏に富んだ板状体、多角形状、アーチ状の組合せを形成することができる（図７、図８、図９）。
【００１２】
（６）前記（１）、（２）及び（３）の構造体は、前記「その六面体の一組の相対する二面が六面体内部に向かって凹状であり、その二面の中間において一面の四角形と相似の連絡部を有し、もう一組の相対する２面も六面体内部に向かって凹状であり、その二面の中間において六面体と相似の空間部からなる連絡部により連絡している」ことが特徴であり、この形状のものを製造できるのであれば、任意の材料により作ることができる。プラスチック、コンクリート、木材などの利用が可能であるが、成形加工を手軽に行うことができることなどから、プラスチック製が有効である
【００１３】
（７）この構造体の形状は複雑であり、これらの材料を用いると、製造コストがかかり、一時的に展示する場合などでは設置と撤収が短期間で行うために、使用する際に不便である。この形状の構造体について、段ボールで型紙を作り、折り合わせて、接合部分を固定すると、（１）から（３）の構造体を得ることができる。ダンボール製とすると、軽量であり、希望する色彩や模様を付けることが可能である。使用する現場で組立てや解体ができて便利である。当然にリサイクルすることもできるし、運搬性もよい（図１０、図１１）。
【発明の効果】
【００１４】
本発明によれば、柱状体、板状体、多角形状、テーブル状、アーチ状の組合せを形成するための構造体を得ることができる。このユニットはユニット自体が積み重ねられたときでも、形状を保持できる安定性と強度を有していること、又、積み重ねられたときに展示する展示品の重さ（重量）に耐えることができる構造体を得ることができる。
形状はフラットの面、単に凹んだ状態だけの面及び抜けている状態の面を有しており、これらは展示又は表示手段として用いることができる面となっているので、必要に応じてこれらの中から特定の面を選択して種々な展示又は表示が可能となる。又形状が入り組んでおり、内側に凹んだ構造となっており、その一部分は空洞化されているので、形成する際に使用する材料は減少させることができるので、全体として軽量化をはかることもできる。
この構造体を組合せて希望する柱状体、板状体、円形状、テーブル状の組合せを形成することができ、これらのユニットからなる集合体とすることにより、種々の形状のものとすることができ、より大きな形状とすることができると共に、形状を保持できる安定性と強度を増すことが可能となる。又、積み重ねることにより強度も増加することができるので、より一層、展示する展示品の重さ（重量）に耐えることができる。
この構造体を、プラスチック製とすると、強度のある構造体とすることができ、又、容易に色彩を施すことが可能となり、有効な構造体を得ることができる。段ボールの型紙より製造することにより、軽量化、現場での組立て解体ができるようになること、運搬が容易となることが可能となる。この組合せ形状としたことにより、展示や表示手段の作成、展示会場の設置、イベント会場の会場設置などの広範囲に使用できる。
【発明を実施するための最良の形態】
【００１５】
図を用いて以下に説明する。
従来の箱からなる構造体は図１に示すとおりである。
相対する四角形状の二面一組を、三組組合せて六面体を構成することができる。この構造体として箱が知られている。この構造体の天（２）の部分と地の部分（３）（蓋と底）は側壁（１）の４面を拘束し、これがばらばらにならないようにしている。又、側壁は天の部分と地の部分を支えて、箱を形成しているということができる（図１）。これは前記したように中に物がつまった場合の場合には、積み重ねても強度を保つことができるが、物が詰まった状態であるため大きな重量となる使い勝手がよくない。
【００１６】
本発明の１ユニットとなる構造体（Ａ）、（Ｂ）、（Ｃ）は図２から４に示すとおりである。
（１）構造体（Ａ）（図２）
相対する四角形状の二面一組を、三組組合せて六面体を構成する。四角形状は正方形、長方形から選ばれる。
構造体Ａについて、ａの方向から見た面は（ａ）面、ｂの方向から見た面は（ｂ）面、ｃの方向から見た面は（ｃ）面である。
（ａ）、（ｂ）及び（ｃ）面は相対する二面から形成される。
（ａ）面は、相対する他の（ａ）面に向かって凹状であり、その二面の中間において一面が長方形により形成される外形の六面体と相似の空間部によって形成される、抜けている状態の連絡部（Ｚ）により連絡している（相対する側に障害となるものはなく、抜けている状態である。）。外形が直方体であるから、空間部は相似の直方体を形成する。
（ｂ）面は、相対する他の（ｂ）面に向かって凹状であり、その相対する二面の中間において一面の四角形と相似の空間部からなる連絡部（Ｙ）は閉ざされている〔前記（ａ）面の連絡部（Ｚ）の壁部分が形成されている〕。
（ｃ）面は、他の面（ｃ）と相対している。そして、（ｃ）面は平面状である。
構造体（Ａ）は、ｃ方向（上から下方向）、ｂ方向（側面から側面方向）及びａ方向（側面から側面方向）の力に対して耐久性を有している（積み重ね可能となる状態）。
形状はフラットの面、単に凹んだ状態だけの面及び吹き抜けに抜けている状態の面を有しており、展示又は表示手段としており、必要に応じて面を選択して種々な展示又は表示が可能となる。又形状が入り組んでいるので、全体として軽量化をはかることもできる。
又、一面が正方形の場合についても、前記直方体の場合と同様であり、外形の六面体は立方体であるから、これと相似の立方体からなる空間部が形成される。  
【００１７】
（２）構造体（Ｂ）（図３）
構造体（Ｂ）は、構造体（Ａ）と同じく四角形からなる一面（一面の相対する面について二面一組とし、計三組六面）を、六面組合せて六面体を構成している。四角形形状は正方形、長方形から選ばれる。
構造体（Ａ）が横倒しの状態を示している。
構造体（Ｂ）について、ａの方向から見た面は（ａ）面、ｂの方向から見た面は（ｂ）面、ｃの方向から見た面は（ｃ）面である。
（ａ）、（ｂ）及び（ｃ）面は相対する二面から形成される。
（ａ）面は、相対する他の（ａ）面に向かって凹状であり、その二面の中間において六面体と相似の空間部からなる連絡部（Ｚ）により連絡している（相対する側に障害となるものはなく、抜けている状態である。）。構造体（Ａ）の場合と同じく、六面体と相似の空間部からなる連絡部（Ｚ）は外形の直方体と類似の直方体となる。
（ｂ）面は、相対する他の（ｂ）面に向かって凹状であり、その相対する二面の中間において六面体と相似の空間部からなる連絡部（Ｙ）は閉ざされている〔前記（ａ）面の連絡部（Ｚ）の壁部分が形成されている〕。
（ｃ）面は、他の面（ｃ）と相対している。そして、（ｃ）面は平面状である。
構造体（Ｂ）は、ａ方向（側面から側面方向）、ｂ方向（上から下方向）及びｃ方向（側面から側面方向）の力に対して耐久性を有している（積み重ね可能となる状態）。
形状はフラットの面、単に凹んだ状態だけの面及び吹き抜けに抜けている状態の面を有しており、展示又は表示手段としており、必要に応じて面を選択して種々な展示又は表示が可能となる。又形状が入り組んでいるので、全体として軽量化をはかることもできる。
【００１８】
（３）構造体（Ｃ）
四角形状の一面が台形からなる二面二組と四角形状の一面が長方形からなる二面１組の組合せ、又は四角形状の一面が台形からなる二面一組と四角形状の一面が長方形の二面二組の組合せにより形成される六面体の場合である。図４は四角形状の一面が台形からなる二面二組と四角形状の一面が長方形からなる二面一組の組合せを示している。
構造体（Ｃ）について、ａの方向から見た面は（ａ）面、ｂの方向から見た面は（ｂ）面、ｃの方向から見た面は（ｃ）面である。
（ａ）面は四角形状の相対する一面が台形であり、（ｂ）面は四角形状の相対する一面が長方形であり、（ｃ）面は四角形状の相対する一面が台形である。これらの面と相対する面が組み合わされて六面体が形成される。
（ａ）面は、相対する他の（ａ）面に向かって凹状であり、その二面の中間において六面体と相似の空間部からなる連絡部（Ｚ）により連絡している（相対する側に障害となるものはなく、抜けている状態である。）。
（ｂ）面は、相対する他の（ｂ）面に向かって凹状であり、その相対する二面の中間において六面体と相似の空間部からなる連絡部（Ｙ）は閉ざされている〔前記（ａ）面の連絡部（Ｚ）の壁部分が形成されている。〕。
（ｃ）面は、他の面（ｃ）と相対している。そして、（ｃ）面は長方形である。
構造体（Ｃ）は、ａ方向（側面から側面方向）、ｂ方向（上面から下面方向）及びｃ方向（側面から側面方向）の力に対して耐久性を有している（積み重ね可能となる状態）。
形状はフラットの面、単に凹んだ状態だけの面及び吹き抜けに抜けている状態の面を有しており、展示又は表示手段としており、必要に応じて面を選択して種々な展示又は表示が可能となる。又形状が入り組んでいるので、全体として軽量化をはかることもできる。
【００１９】
構造体（Ａ）又は（Ｂ）を組合せて接続することにより、柱状体及び板状体を形成することができる。各構造体を接合させるためには適宜これらを繋ぎ止める手段（係止手段）により連結させることができる。
図５は構造体を組合せて柱状体を形成することを示している。
三面のどの面をつなぎ合わせるかは適宜定めればよい。例えば、図５の右側の図は、中の長方形の部分は、「抜けている状態」のみで重ね合わせてもよいし、「抜けている状態」と「抜けていない状態」のものが交互に組み合わされていてもよいし、その他の組合せでも差しつかえない。「抜けている状態」の部分に展示物をおくことも可能であるし、「抜けていない状態」のところに特定の画面などを表示してもよいし差しつかえない。
図５の左側の図は、平面状の面と「抜けていない状態」又は「抜けている状態」の組合せである。表示の手段として各面を使用することができる。
【００２０】
図６は、構造体を板状に並べた状態を示している。
図６では、上から下に向かって「抜けている状態」を示しており、側面は「抜けていない状態」を示している。これを立てて用いることができることは言うまでもない。
【００２１】
図７は、構造体（Ｃ）を柱状に組み立てた図である。上記と同じく、「抜けていない状態」又は「抜けている状態」の面の利用は適宜行うことができる。
又、図８は、構造体（Ｃ）を平面多角形状に並べた状態を示している。
図９は、構造体（Ｃ）を用いてアーチ状に組合せた状態を示している。構造体（Ｃ）について係止手段により相互に固定すると共に、これを纏めて中央で係止手段により全体を固定している。又後述するように、構造体（Ｃ）を段ボールにより形成すれば軽量化が図ると共に構造体（Ｃ）の係止手段も格別設けることが必要ない場合もある。
【００２２】
図１０は、構造体（Ａ）又は構造体（Ｂ）を、段ボールにより作成する場合の展開図である。
（ａ）面は、相対する他の（ａ）面に向かって凹状であり、その二面の中間において六面体と相似の空間部からなる連絡部（Ｚ）により連絡している（相対する側に障害となるものはなく、抜けている状態である。）。
展開図の１２、１３、１４、１５、１６により連絡部（Ｚ）が形成される。
（ｂ）面は、相対する他の（ｂ）面に向かって凹状であり、その相対する二面の中間において六面体と相似の空間部からなる連絡部（Ｙ）は閉ざされている〔前記（ａ）面の連絡部（Ｚ）の壁部分が形成されている〕。
展開図の１７、１８、１９により連絡部（Ｙ）が形成される。
（ｃ）面は、他の面（ｃ）と相対している。そして、（ｃ）面は平面状である。
Ｃ面は１１により形成される。
又図に示されている点線部分は糊付け部分である。
【００２３】
図１１は、構造体（Ｃ）を、段ボールにより作成する場合の展開図である。
（ａ）面は、相対する他の（ａ）面に向かって凹状であり、その二面の中間において六面体と相似の空間部からなる連絡部（Ｚ）により連絡している（相対する側に障害となるものはなく、抜けている状態である。）。
展開図の１２、１３、１４、１５、１６により連絡部（Ｚ）が形成される。
（ｂ）面は、相対する他の（ｂ）面に向かって凹状であり、その相対する二面の中間において六面体と相似の空間部からなる連絡部（Ｙ）は閉ざされている〔前記（ａ）面の連絡部（Ｚ）の壁部分が形成されている〕。
展開図の１７、１８、１９により連絡部（Ｙ）が形成される。
（ｃ）面は、他の面（ｃ）と相対している。そして、（ｃ）面は平面状である。
Ｃ面は１１により形成される。
張合せ部分２２は斜交線部分であり、くり貫き部分２３は平行線部分である。切取線は２０である。
【図面の簡単な説明】
【００２４】
【図１】箱を示す図。
【図２】四角形状が長方形であることを示す図。
【図３】四角形状が長方形であることを示す図。
【図４】四角形状が台形であることを示す図。
【図５】四角形状が長方形であり、これを組合せて柱状体を形成することを示す図。
【図６】四角形状が長方形であり、これを組合せて板状体を形成することを示す図。
【図７】四角形状が台形であり、これを組合せて柱状体を形成することを示す図。
【図８】四角形状が台形であり、これを組合せて多角形板状体を形成することを示す図。
【図９】四角形状が台形であり、これを組合せてアーチ型を形成することを示す図。
【図１０】四角形状が長方形の形状の場合の、段ボールで形成する場合の展開図を示す図。
【図１１】四角形状が台形の形状の場合の、段ボールで形成する場合の展開図を示す図。
【符号の説明】
【００２５】
（１）：側壁
（２）：天部（蓋部）
（３）：地部（底部）
（Ａ）：構造体Ａ
（Ｂ）：構造体Ｂ
（Ｃ）：構造体Ｃ
ａ：観察する方向
ｂ：観察する方向
ｃ：観察する方向
Ｘ：平面
Ｙ：抜けていない部分を表す。
Ｚ：抜けている部分を表す。
１１：平面を表す部分
１２から１６：抜けている部分を形成する部分
１７から１９：抜けていない部分を表す。
２０：  切取線
２１：  係止手段
２２：  張合せ部分（点線）
２３：  くり抜き部分
【図１】
2007284100.tif 000003
【図２】
2007284100.tif 000004
【図３】
2007284100.tif 000005
【図４】
2007284100.tif 000006
【図５】
2007284100.tif 000007
【図６】
2007284100.tif 000008
【図７】
2007284100.tif 000009
【図８】
2007284100.tif 000010
【図９】
2007284100.tif 000011
【図１０】
2007284100.tif 000012
【図１１】
2007284100.tif 000013